(57)【要約】      （修正有）【課題】防水した布製・樹脂製のシート型オムツカバーの使用によって、オムツの使用量を大きく減らし、尿便漏れの不愉快さを無くし、オムツカバーの洗濯作業の手間を出来るだけ解消するシート型オムツカバーを提供する。【解決手段】シート型オムツカバーは、Ａの層、Ｂの層、Ｃの層の３層構造を設け、Ａの層は防水剤、ポリオレフインフイルムで構成し、Ｂの層は吸収剤、綿状パルプ、高分子吸収剤、ポリマー、吸水紙で構成し、Ｃの層は肌に触れる表面材はポリオレフイン等の不繊布あるいは撥水性のある布を使用した三層構造とする。該三層構造は全て接着テープ、マジックテープ（登録商標）Ａで取り外し可能であり、接着テープ、又は、マジックテープ（登録商標）Ｂで二重に重ねた部分がずれ落ちないようにしてシート型オムツカバーを構成する。【選択図】図２
0003164136.tif 000002
【実用新案登録請求の範囲】
【請求項１】
シート型オムツカバーは、防水剤を含んだポリオレフインフイルムのＡ層シート、吸収剤、綿状パルプ、高分子吸水剤、ポリマー、吸水紙などのＢ層シート、ポリオレフインなどの不織布あるいは撥水性のある布、かぶれにくい肌に優しい防臭性のある素材のＣ層シートを設けた３枚の層からなることを特徴とするシート型オムツカバー。
【請求項２】
シート型オムツカバーにおいて、Ｂ層シートの位置は上部にも下部にも移動でき、上部に移動することで背中の汗を取り、又、Ｂ層シートは裏には防水紙を使わず、通風、吸収を第一とする請求項１記載のシート型オムツカバー。
【請求項３】
本考案のシート型オムツカバーは、既に登録された実用新案登録第３１４６０４９号の「男性用尿パット及び男性用尿パットの取付構造」図６の男性用尿パットの補助として同時使用することで、着脱が容易で、尿漏れを防止し、男性器の大便による汚れを防止し、蒸れ、汗疹、かぶれ等を軽減し、取替えも容易で衣類や寝具を汚すのを防止することを特徴とする請求項１に記載のシート型オムツカバー。
【考案の詳細な説明】
【技術分野】
【０００１】  本発明は、病院、寝たきり老人、痴呆性患者等のシーツやオムツカバー等の用途に用いられるソフトな布地、合成繊維などを使用した耐洗濯性、耐抗菌性、耐黄性に優れ、洗浄して繰り返し使用することができ、又、一度ごとに、処理、破棄できる使い捨てカバーもある男女共に使用できるシート型オムツカバーに関する。
【背景技術】
【０００２】  高齢化社会と共に寝たきり老人や介護を必要とする高齢者、痴呆性患者が増加しており、状況に適合した設備や介護用品の充実が急務となっている現在、又、老人の介護は、重労働などを伴い、介護する人達も体力を使い非常に悪い環境下で従事しなければならず、特に寝たきりの患者、老人は排泄、排便が重要課題である、又、介護の人手不足等も深刻な問題になっている。
どんなに活躍し、世の中の為に大いに役に立ってがんばってきた方でも、脳の病気・ケガ等により損傷する事で徐々に行動、言動、すべてにおいて、機能が失われて、５〜１０〜１５〜２０年と、長い年月をかけて不自由が生じ、それを回りで介護する人に多くの手間が必要となり、５〜１０年位経つと、２４時間目を離せない程に、何をするかわからないという状況になることがあり、その中で特に、１人での排尿が出来なくなった時、夜間の尿もれは、介護の負担は睡眠を妨げられたり、安眠することもできなくなり、ただ我慢だけを強いられ、身体を壊すか、その場から逃げるか、あるいは何とかしようと工夫するかとなります。その中で、夜間何度も尿漏れ悩んだ末に、今あるオムツのインナーに着目しました。男性と女性とは、まったく異なる形にもかかわらず、男女が兼用としてのものしかない、徐々に男性用とうたったものがでているが、男性器独特の変化をおおいきれていない。今回のキャップ型の特徴は、男性器全体をすっぽりおおう事で、安定感と、吸収材にいち早く、吸い込ませ、ポリマーでかためて、もれを極力減らしたところが、今までに無いものです。
又、本考案のシート型のおむつは、上記のキャップ型と同時に使用することにより、それでもなお漏れてしまった水便等を、ねまき、シーツ等の汚れから守り一層の効果があることがわかり考案いたしました。
一つ一つ手作りで作っていたのでは介護者の負担を増やすもので、続きません。なんとか大量生産し、市場に出していただき、多くの必要としている人の役に立ちたいと思い、今回提案させていただきました。
【特許文献１】  特開２００１−０００４６４号公報
【特許文献２】  実用新案登録第３１４６０４９号公報
【考案の開示】
【考案の解決しようとする課題】
【０００３】  本考案は、従来の男性用尿取りパット又はパンツ型使い捨てオムツを使用することによって生じる経済的な問題及びゴミ等の増加の問題等、又、尿漏れ、排尿後の不快感、吸収の悪さがあり、快適さは期待できない状態であり、又、特に夜間の尿漏れを防ぐ為、パットとＴ字型、あるいはパンツ型のものの上にシート型カバーを何枚も重ねて巻くだけで効果はなく良くなかった。これらの問題を解決するために、防水した布製・樹脂製のシート型オムツカバーの使用によって、いままで生じた尿便漏れの不愉快さを無くし、下着・ねまきの洗濯作業の手間を出来るだけ解消すると同時に、着用者もしくは介護者の大きな負担を軽減することを目的とするものである。
【問題を解決するための手段】
【０００４】  本考案は、上記目的を達成するために、既に登録された実用新案登録第３１４６０４９号の「男性用尿パット及び男性用尿パットの取付構造」を補助するシート型オムツカバーとして使用する。そのシート型オムツカバー１は、Ａの層２、Ｂの層３、Ｃの層４の３層構造を設け、Ａの層２は防水剤、ポリオレフインフイルムで構成し、Ｂの層３は吸収剤、綿状パルプ、高分子吸収剤、ポリマー、吸水紙で構成し、Ｃの層４は肌に触れる表面材はポリオレフイン等の不繊布あるいは撥水性のある布を使用、かぶれにくい肌に優しい防臭性のある素材で構成した三層構造からなり、その三層構造は全て接着テープ５、マジックテープ６で取り外し可能であり、マジックテープ７で二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層３は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
以上、このシート型オムツカバーは、シーツ型にすることで、１つ目は就寝時の便、尿の横漏れ時に衣類、寝具の汚れを防ぐことが出来ます。２つ目は寝ている患者が排便をしたときに、シート型で面積が広いため、このシートを広げながら、作業が出来シーツや寝具を汚さずにすみます。３つ目は便、尿をしたまま立ち上がり、歩き廻っても、腰で巻き、テープで止めている為に、中のオムツが、重さでずれ落ちることが少なくなる。
問題を解決している。
【考案の効果】
【０００５】  上述のように、前開き型シート型オムツカバー本体１、このシート型オムツカバーは、シーツ型にすることで、１つ目は就寝時の便、尿の横漏れ時に衣類、寝具の汚れを防ぐことが出来ます。２つ目は寝ている患者が排便をしたときに、シート型で面積が広いため、このシートを広げながら、作業が出来シーツや寝具を汚さずにすみます。３つ目は便、尿をしたまま立ち上がり、歩き廻っても、腰で巻き、テープで止めている為に、中のオムツが、重さでずれ落ちることが少なくなり大いに効果が期待できます。
【考案を実施するための最良の形態】
【０００６】  既に登録された実用新案登録第３１４６０４９号の「男性用尿パット及び男性用尿パットの取付構造」を補助するシート型オムツカバーとして使用する。そのシート型オムツカバーは、Ａの層、Ｂの層、Ｃの層の３層構造を設け、Ａの層は防水剤、ポリオレフインフイルムで構成し、Ｂの層は吸収剤、綿状パルプ、高分子吸収剤、ポリマー、吸水紙で構成し、Ｃの層は肌に触れる表面材はポリオレフイン等の不繊布あるいは撥水性のある布を使用、かぶれにくい肌に優しい防臭性のある素材で構成した三層構造からなり、その三層構造は全て接着テープ、マジックテープＡで取り外し可能であり、マジックテープＢで二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
【図面の簡単な説明】
【０００７】
【図１】本考案のシート型オムツカバーの使用実施図
【図２】本考案のＡ層の平面図
【図３】本考案のＢ層の平面図
【図４】本考案のＣ層の平面図
【図５】本考案のＡ・Ｂ・Ｃ層の積層図
【符号の説明】
【０００８】１  シート型オムツカバー
２  Ａ層シート
３  Ｂ層シート
４  Ｃ層シート
５  接着テープ（素材によっては必要としない場合もある。）
６  マジックテープ又は接着テープＡ（何度も使えるもの、あまり強力でないもの）
７  マジックテープ又は接着テープＢ（何度も使えるもの、あまり強力でないもの）
【図１】
0003164136.tif 000003
【図２】
0003164136.tif 000004
【図３】
0003164136.tif 000005
【図４】
0003164136.tif 000006
【図５】
0003164136.tif 000007
【図６】
0003164136.tif 000008
【図７】
0003164136.tif 000009
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
シート型オムツカバー１は、防水剤を含んだポリオレフインフイルムのＡ層シート２、吸収剤、綿状パルプ、高分子吸水剤、ポリマー、吸水紙などのＢ層シート３、ポリオレフインなどの不織布あるいは撥水性のある布、かぶれにくい肌に優しい防臭性のある素材のＣ層シート４を設けた３枚の層からなることを特徴とするシート型オムツカバー。
【請求項２】
シート型オムツカバー１において、Ｂ層シート３の位置は上部にも下部にも移動でき、上部に移動することで背中の汗を取り、又、Ｂ層シート３は裏には防水紙を使わず、通風、吸収を第一とする請求項１記載のシート型オムツカバー。
【請求項３】
本考案のシート型オムツカバー１は、着脱が容易でフイット感及び安心感を向上させ、尿漏れを防止し、男性器の大便による汚れを防止し、蒸れ、汗疹、かぶれ等を軽減し、取替えも容易で衣類や寝具を汚すのを防止する男性用尿パット８は通水性を有する表面シート９と、非通水性を有する裏面シート１０と、表面シート９と裏面シート１０との間に挿入された吸水部材からなる吸収シート１１とを備え、表面シート９及び裏面シート１０は平面略楕円形に形成され、シートの外周縁が接合されて男性器の挿入口１２が形成され、挿入口１２にギャザー１３加工が施され、挿入口１２の大きさが弾性部材１４、テープ又は紐等の調節部材１５とストッパーリングにより調節され、全体形状が平面略楕円形に形成されている男性用尿パット８の補助として同時使用することで汚れを防止することを最大の特徴とする請求項１に記載のシート型オムツカバー。
【手続補正２】
【補正対象書類名】明細書
【補正対象項目名】０００４
【補正方法】変更
【補正の内容】
【０００４】  本考案は、上記目的を達成するために、既に登録された実用新案登録第３１４６０４９号の「男性用尿パット及び男性用尿パットの取付構造」を補助するシート型オムツカバー１として使用する。そのシート型オムツカバー１は、Ａの層２、Ｂの層３、Ｃの層４の３層構造を設け、Ａの層２は防水剤、ポリオレフインフイルムで構成し、Ｂの層３は吸収剤、綿状パルプ、高分子吸収剤、ポリマー、吸水紙で構成し、Ｃの層４は肌に触れる表面材はポリオレフイン等の不繊布あるいは撥水性のある布を使用、かぶれにくい肌に優しい防臭性のある素材で構成した三層構造からなり、その三層構造は全て接着テープ５、マジックテープ（登録商標）６で取り外し可能であり、マジックテープ（登録商標）７で二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層３は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
以上、このシート型オムツカバーは、シーツ型にすることで、１つ目は就寝時の便、尿の横漏れ時に衣類、寝具の汚れを防ぐことが出来ます。２つ目は寝ている患者が排便をしたときに、シート型で面積が広いため、このシートを広げながら、作業が出来シーツや寝具を汚さずにすみます。３つ目は便、尿をしたまま立ち上がり、歩き廻っても、腰で巻き、テープで止めている為に、中のオムツが、重さでずれ落ちることが少なくなることにより問題を解決している。
【手続補正３】
【補正対象書類名】明細書
【補正対象項目名】０００６
【補正方法】変更
【補正の内容】
【０００６】  既に登録された実用新案登録第３１４６０４９号の「男性用尿パット及び男性用尿パットの取付構造」を補助するシート型オムツカバーとして使用する。そのシート型オムツカバーは、Ａの層、Ｂの層、Ｃの層の３層構造を設け、Ａの層は防水剤、ポリオレフインフイルムで構成し、Ｂの層は吸収剤、綿状パルプ、高分子吸収剤、ポリマー、吸水紙で構成し、Ｃの層は肌に触れる表面材はポリオレフイン等の不繊布あるいは撥水性のある布を使用、かぶれにくい肌に優しい防臭性のある素材で構成した三層構造からなり、その三層構造は全て接着テープ、マジックテープ（登録商標）Ａで取り外し可能であり、マジックテープ（登録商標）Ｂで二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
【手続補正３】
【補正対象書類名】明細書
【補正対象項目名】０００７
【補正方法】変更
【補正の内容】
【０００７】
【図１】本考案のシート型オムツカバーの使用実施図
【図２】本考案のＡ層の平面図
【図３】本考案のＢ層の平面図
【図４】本考案おＣ層の平面図
【図５】本考案のＡ・Ｂ・Ｃ層の積層
【図６】本考案に係わる男性用尿パットの正面図
【図７】本考案に係わる男性用尿パットの男性用尿パレットの裏面図
【手続補正４】
【補正対象書類名】明細書
【補正対象項目名】０００８
【補正方法】変更
【補正の内容】
【０００８】  １  シート型オムツカバー
２  Ａ層シート
３  Ｂ層シート
４  Ｃ層シート
５  接着テープ（素材によっては必要としない場合もある。）
６  マジックテープ（登録商標）又は接着テープＡ（何度も使えるもの、あまり強力でないもの）
７  マジックテープ（登録商標）又は接着テープＢ（何度も使えるもの、あまり強力でない．もの）
８  男性用尿パット
９  表面シート
１０  裏面シート
１１  吸収シート
１２  挿入口
１３  ギャザー
１４  弾性部材
１５  挿入口調節部材
１６  ストッパーリング
【手続補正５】
【補正対象書類名】図面
【補正対象項目名】図２
【補正方法】変更
【補正の内容】
【図２】
0003164136.tif 000010
【手続補正６】
【補正対象書類名】図面
【補正対象項目名】図６
【補正方法】変更
【補正の内容】
【図６】
0003164136.tif 000011
【手続補正書】
【提出日】平成21年12月28日(2009.12.28)
【手続補正１】
【補正対象書類名】実用新案登録請求の範囲
【補正対象項目名】全文
【補正方法】変更
【補正の内容】
【実用新案登録請求の範囲】
【請求項１】
シート型オムツカバー１を設け、当該シート型オムツカバー１は長方形のＡ層シート２、Ｂ層シート３、Ｃ層シート４の組合わせた構造で、該Ａ層、Ｂ層、Ｃ層を重ねて３層にして使用し、マジックテープ又は接着テープ５，６，７で着脱可能にした事を特徴とするシート型オムツカバー。
【請求項２】
シート型オムツカバー１において、Ａ層シートは防水剤を含有したポリオレフインフフイルムを使用し、Ｂ層シートは吸収剤、綿状バルブ、高分子吸水剤、ポリマー、吸水紙を使用し、Ｃ層シートはポリオレフイン等の不織布ありは撥水性のある布、かぶれにくい肌に優しい防臭性のある素材からなり、Ａ層シートとＣ層シートに挟まれたＢ層シートを上部、下部に移動可能にしたことを特徴とする請求項１記載のシート型オムツカバー。
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
シート型オムツカバー１は、防水剤を含んだポリオレフインフイルムのＡ層シート、吸収剤、綿状パルプ、高分子吸水剤、ポリマー、吸水紙などのＢ層シート、ポリオレフインの不織布あるいは撥水性のある布、かぶれにくい肌に優しい防臭性のある素材ナイロンタフタＰＵ防水加工布あるいは介護用シートのＣ層シートを設けた３枚の層からなることを特徴とするシート型オムツカバー。
【請求項２】
シート型オムツカバー１において、Ｂ層シートの位置は上部にも下部にも移動でき、上部に移動することで背中の汗を取り、又、Ｂ層シートは裏には防水紙を使わず、通風、吸収を第一とする請求項１記載のシート型オムツカバー。
【手続補正書】
【提出日】平成22年7月19日(2010.7.19)
【手続補正１】
【補正対象書類名】実用新案登録請求の範囲
【補正対象項目名】全文
【補正方法】変更
【補正の内容】
【実用新案登録請求の範囲】
【請求項１】
シート型オムツカバー１は、防水剤を含んだポリオレフインフイルムのＡ層シートと、前記Ａ層シート上に重ねられた吸収剤、綿状パルプ、高分子吸水剤、ポリマー、吸水紙のいずれかからなるＢ層シートと、前記Ｂ層シート上に重ねられたポリオレフインの不織布あるいは撥水性のある布、かぶれにくい肌に優しい防臭性のある素材ナイロンタフタＰＵ防水加工布のいずれかからなるＣ層シートとからなる３枚の層からなることを特徴とするシート型オムツカバー。
【請求項２】
シート型オムツカバー１において、Ｂ層シートの位置はＡ層シート上の自由な位置に移動し設置することが可能であり、背中の汗を取ることも出来る、又、Ｂ層シートは裏には防水紙を使わず、通風、吸収を第一とする請求項１記載のシート型オムツカバー。